(57)【要約】【課題】三つ以上の把持片を前後方向に移動しないように円滑に開閉動作させて、把持対象物の形状等に制約されることなく把持対象物を容易かつ確実に把持することができる内視鏡用把持鉗子を提供すること。【解決手段】シース１の先端部分２から前方に向けて少なくとも三つの把持片３を配置して、各把持片３がそれらの基端部分を中心に開閉するように各把持片３の基端部分をシース１の先端部分２に周方向に順に位置をずらして軸線より外側位置に各々回動自在に支持すると共に、シース１内に挿通配置された操作ワイヤ４の先端部分４ｂを、シース１の先端部分２において各把持片３の支持部よりシース１の先端部分２の軸線寄りの空間に通して、各把持片３に対し内面側から臨ませて連結した。【選択図】      図１
2004194849.tif 000002
【特許請求の範囲】
【請求項１】
シースの先端部分から前方に向けて少なくとも三つの把持片を配置して、上記各把持片がそれらの基端部分を中心に開閉するように上記各把持片の基端部分を上記シースの先端部分に周方向に順に位置をずらして軸線より外側位置に各々回動自在に支持すると共に、上記シース内に挿通配置された操作ワイヤの先端部分を、上記シースの先端部分において上記各把持片の支持部より上記シースの先端部分の軸線寄りの空間に通して、上記各把持片に対し内面側から臨ませて連結したことを特徴とする内視鏡用把持鉗子。
【請求項２】
上記各把持片が、上記シースの先端部分の軸線周りに軸対称の位置関係で配置されている請求項１記載の内視鏡用把持鉗子
【発明の詳細な説明】
【０００１】
【発明の属する技術分野】
この発明は内視鏡用把持鉗子に関する。
【０００２】
【従来の技術】
内視鏡用把持鉗子は、内視鏡の処置具挿通チャンネルに挿脱されるシースの先端部分に設けられた複数の把持片を手元側から開閉操作できるようになっているが、従来の内視鏡用把持鉗子の構造は二つの方式に大別される。
【０００３】
即ち、図４に示されるものでは、バネ線材等により先側が外方に広がった形状に形成された複数の把持片８２をシース８１の先端部分内に突没自在に配置して、複数の把持片８２が、操作ワイヤ８３によってシース８１内から押し出されると自己の弾性によって広がり、シース８１内に引き込まれると窄まった状態に弾性変形するようになっている（例えば、特許文献１）。
【０００４】
また、図５に示されるものでは、一対の把持片９２を支軸９３でシース９１の先端部分に回動自在に支持し、把持片９２と一体に形成された駆動アーム９４を操作ワイヤ９５で駆動することにより、一対の把持片９２が支軸９３を中心に嘴状に開閉するようになっている（例えば、特許文献２）。
【０００５】
【特許文献１】
特開平８−３８４９６号公報
【特許文献２】
特開昭６３−１５１１１１号公報
【０００６】
【発明が解決しようとする課題】
しかし、図４に示されるように把持片８２がシース８１内に出入りする機構のものでは、把持片８２を閉じようとするとそれと同時に把持片８２が後方に退避してしまうので、把持対象物をなかなか把持することができない場合が珍しくなくて、把持操作が非常に難しい。
【０００７】
また、図５に示されるように把持片９２が嘴状に開閉するものでは、把持対象物を二方向から挟み付けるだけなので、把持対象物に丸みがある場合などは把持片９２を閉じた時に把持対象物が把持片９２の間から逃げてしまって、把持対象物をなかなか把持することができない場合がある。
【０００８】
しかし、把持片９２を三つ以上設けようとすると、支軸９３より後方に延出する状態に配置された複数の駆動アーム９４どうしが干渉してしまうので、把持片９２が開閉動作をすることができない。
【０００９】
そこで本発明は、三つ以上の把持片を前後方向に移動しないように円滑に開閉動作させて、把持対象物の形状等に制約されることなく把持対象物を容易かつ確実に把持することができる内視鏡用把持鉗子を提供することを目的とする。
【００１０】
【課題を解決するための手段】
上記の目的を達成するため、本発明の内視鏡用把持鉗子は、シースの先端部分から前方に向けて少なくとも三つの把持片を配置して、各把持片がそれらの基端部分を中心に開閉するように各把持片の基端部分をシースの先端部分に周方向に順に位置をずらして軸線より外側位置に各々回動自在に支持すると共に、シース内に挿通配置された操作ワイヤの先端部分を、シースの先端部分において各把持片の支持部よりシースの先端部分の軸線寄りの空間に通して、各把持片に対し内面側から臨ませて連結したものである。
【００１１】
なお、各把持片が、シースの先端部分の軸線周りに軸対称の位置関係で配置されていてもよい。
【００１２】
【発明の実施の形態】
図面を参照して本発明の実施例を説明する。
図３は内視鏡用把持鉗子の全体構成を示しており、図示されていない内視鏡の処置具挿通チャンネルに挿脱される可撓性シース１は、例えばステンレス鋼線を一定の径で密着巻きして形成されている。ただし、四フッ化エチレン樹脂チューブ等により形成されたものであっても差し支えない。
【００１３】
可撓性シース１の先端に連結固着された先端口金２には、三つの把持片３が開閉自在に取り付けられており、図３にはそれらが開いた状態が実線で示され、閉じた状態が二点鎖線で示されている。
【００１４】
可撓性シース１内には、三つの把持片３を開閉駆動するための操作ワイヤ４が軸線方向に進退自在に全長にわたって挿通配置されており、その操作ワイヤ４を進退操作するための操作部１０が可撓性シース１の基端に連結されている。
【００１５】
操作部１０は、細長い操作部本体１１の基端に固定指掛け１２が設けられ、操作部本体１１の長手方向にスライド自在に取り付けられた可動指掛け１３に、操作ワイヤ４の基端部分４ａが連結された構成になっている。
【００１６】
その結果、矢印Ａで示されるように可動指掛け１３をスライド操作することにより、可撓性シース１内で操作ワイヤ４が進退して、可撓性シース１の先端側において把持片３が開閉動作をする。
【００１７】
図１は、そのような把持片３が設けられた可撓性シース１の先端部分の斜視図であり、図２は、三つの把持片３のうちの一つの把持片３を横から見た状態の側面断面図である。
【００１８】
可撓性シース１は、先端部分が先端口金２に被さるように広げられて先端口金２にロー付け等により固着され、操作ワイヤ４は先端の近傍で三本に分岐されている。ただし、そのような分岐部に接続パイプ等を用いてもよく、全長にわたって三本の操作ワイヤ４を並べて配置しても差し支えない。
【００１９】
先端口金２は、例えばステンレス鋼の丸棒材を素材として、その軸線位置には三本の操作ワイヤ４が並んだ状態で緩く挿通される孔が貫通形成され、可撓性シース１が連結固着される先端口金２の後端寄りの部分は、連結部の外面に段差ができないように一段細く形成されている。
【００２０】
先端口金２の先端部分には、先端面に開口するスリット２ａが１２０°間隔で軸線を中心に放射状に三個形成されていて、そのスリット２ａに基端側の細幅部分が挟まれた各把持片３が、スリット２ａを横断するように先端口金２に取り付けられた支軸５により、基端部分を中心に開閉するように回動自在に支持されている。
【００２１】
そのようにして、三つの把持片３の基端部分が可撓性シース１の先端部分の軸線の延長線の周りに軸対称の位置関係になるように１２０°ずつ順に位置をずらして、先端口金２の軸線より外側位置に各々回動自在に配置され、先端口金２の軸線位置を通った三本の操作ワイヤ４の各先端部分４ｂが、各把持片３に対して内面側から臨んだ状態でロー付け等により連結固着されている。
【００２２】
このような構成により、操作ワイヤ４が操作部１０側から遠隔的に押し込み操作されると、図２に示されるように、各把持片３が二点鎖線で示される閉状態から実線で示される開状態になり、操作ワイヤ４を操作部１０側から牽引操作することにより、把持片３が閉状態になる。
【００２３】
したがって、三つの把持片３が前後方向に移動することなく支軸５を中心に１２０°間隔で開閉するので、内視鏡の処置具挿通チャンネルに挿通して、体腔内において把持対象物の形状等に制約されることなく把持対象物を容易かつ確実に把持することができる。
【００２４】
なお、本発明は上記実施例に限定されるものではなく、例えば把持片３を四つ又はそれ以上配置しても差し支えない。
【００２５】
【発明の効果】
本発明によれば、少なくとも三つの把持片を前後方向に移動させることなく基端部分を中心に円滑に開閉動作させることができるので、把持対象物の形状等に制約されることなく把持対象物を容易かつ確実に把持することができる。
【図面の簡単な説明】
【図１】本発明の実施例の内視鏡用把持鉗子の先端部分の斜視図である。
【図２】本発明の実施例の内視鏡用把持鉗子の先端部分の部分側面断面図である。
【図３】本発明の実施例の内視鏡用把持鉗子の全体構成を示す側面断面図である。
【図４】従来の内視鏡用把持鉗子の先端部分の第１の例の斜視図である。
【図５】従来の内視鏡用把持鉗子の先端部分の第２の例の側面断面図である。
【符号の説明】
１  可撓性シース
２  先端口金
３  把持片
４  操作ワイヤ
４ｂ  先端部分
５  支軸
１０  操作部
【図１】
2004194849.tif 000003
【図２】
2004194849.tif 000004
【図３】
2004194849.tif 000005
【図４】
2004194849.tif 000006
【図５】
2004194849.tif 000007